(57)【要約】【課題】搗精部の清掃の際に、事前のシャッタ操作を失念してもホッパ内の玄米が周りに散逸する事態を回避することができ、煩わしい操作手順を気にすることなく確実にメンテナンス作業に移行することができる精米機の搗精部を提供する。【解決手段】精米機の搗精部は、玄米ホッパ２と、搗精ロール３と、玄米ホッパ２の玄米口２ａ側から前端の白米出口４ａ側に搗精穀粒を案内しつつ除糠する筒状の案内除糠部４とを備えて構成され、上記案内除糠部４を上記白米出口４ａ側から上記搗精ロール３の軸線に沿って取出し可能に構成し、上記玄米ホッパ２の玄米口２ａを開閉するシャッタ６と、このシャッタ６を閉位置に付勢保持する付勢部材７とを設け、この付勢部材７の付勢力に抗して上記シャッタ６を開位置に保持する対抗部４ｃを上記案内除糠部４に設けることにより、案内除糠部４を外すとシャッタ６が自動的に閉じるものである。【選択図】図１
2014113523.tif 000002
【特許請求の範囲】
【請求項１】
受けた玄米を下端の玄米口から排出する玄米ホッパと、この玄米ホッパから受けた玄米を回転搗精する搗精ロールと、この搗精ロールの作用を受ける搗精穀粒を上記玄米口側から前端の白米出口側に案内しつつ除糠する筒状の案内除糠部とを備えてなる精米機の搗精部において、
上記案内除糠部を上記白米出口側から上記搗精ロールの軸線に沿って取出し可能に構成し、上記玄米ホッパの玄米口を開閉するシャッタと、このシャッタを閉位置に付勢保持する付勢部材とを設け、この付勢部材の付勢力に抗して上記シャッタを開位置に保持する対抗部を上記案内除糠部に設けたことを特徴とする精米機の搗精部。
【請求項２】
受けた玄米を下端の玄米口から排出する玄米ホッパと、この玄米ホッパから受けた玄米を回転搗精する搗精ロールと、この搗精ロールの作用を受ける搗精穀粒を上記玄米口側から前端の白米出口側に案内しつつ除糠する筒状の案内除糠部と、この案内除糠部の正面を開放可能に閉じる前扉とを備える精米機の搗精部において、
上記案内除糠部を上記白米出口側から上記搗精ロールの軸線に沿って取出し可能に構成し、上記玄米ホッパの玄米口を開閉するシャッタと、このシャッタを開位置に付勢保持する付勢部材とを設け、この付勢部材の付勢力に抗して上記シャッタを閉位置に保持する対抗部を上記前扉に設けたことを特徴とする精米機の搗精部。
【請求項３】
受けた玄米を下端の玄米口から排出する玄米ホッパと、この玄米ホッパから受けた玄米を回転搗精する搗精ロールと、この搗精ロールの作用を受ける搗精穀粒を案内しつつ除糠する案内除糠部とを備える精米機の搗精部において、
上記案内除糠部を取出し可能に構成し、上記玄米ホッパの玄米口を開閉操作可能なシャッタと、上記案内除糠部の取外しを規制するロック部材とを設け、このロック部材は、閉位置に操作されたシャッタと連動して上記ロック部材による規制を解除可能に可動支持したことを特徴とする精米機の搗精部。
【発明の詳細な説明】
【技術分野】
【０００１】
本発明は、着脱可能に構成した精米機の搗精部に関する。
【背景技術】
【０００２】
特許文献１の精米機は、玄米を受けるホッパと搗精部とから構成され、ホッパに投入した玄米がホッパ下端の玄米口から搗精部に供給されて精米され、精米に伴って糠等が付着する筒状の搗精網を着脱可能に構成することにより、清掃の際に搗精網を外して容易にメンテナンスすることができる。
【先行技術文献】
【特許文献】
【０００３】
【特許文献１】特開２００２−４５７１４号公報
【発明の概要】
【発明が解決しようとする課題】
【０００４】
この場合、ホッパに玄米が残った状態で搗精網を外すと、ホッパ内の玄米がその下端開口から排出されて周りに散逸する事態を招くこととなるので、ホッパの排出口にシャッタを設け、メンテナンスの際に事前にシャッタを閉じることにより、上記事態を回避することができる。
しかしながらシャッタ操作を失念した場合は、煩わしい事前操作を省略した場合を含め、同様の事態を招くこととなる。
【０００５】
本発明の目的は、搗精部の清掃の際に、事前のシャッタ操作を失念してもホッパ内の玄米が周りに散逸する事態を回避することができ、煩わしい操作手順を気にすることなく確実にメンテナンス作業に移行することができる精米機の搗精部を提供することにある。
【課題を解決するための手段】
【０００６】
請求項１に係る発明は、受けた玄米を下端の玄米口から排出する玄米ホッパと、この玄米ホッパから受けた玄米を回転搗精する搗精ロールと、この搗精ロールの作用を受ける搗精穀粒を上記玄米口側から前端の白米出口側に案内しつつ除糠する筒状の案内除糠部とを備えてなる精米機の搗精部において、上記案内除糠部を上記白米出口側から上記搗精ロールの軸線に沿って取出し可能に構成し、上記玄米ホッパの玄米口を開閉するシャッタと、このシャッタを閉位置に付勢保持する付勢部材とを設け、この付勢部材の付勢力に抗して上記シャッタを開位置に保持する対抗部を上記案内除糠部に設けたことを特徴とする。
【０００７】
請求項２に係る発明は、受けた玄米を下端の玄米口から排出する玄米ホッパと、この玄米ホッパから受けた玄米を回転搗精する搗精ロールと、この搗精ロールの作用を受ける搗精穀粒を上記玄米口側から前端の白米出口側に案内しつつ除糠する筒状の案内除糠部と、この案内除糠部の正面を開放可能に閉じる前扉とを備える精米機の搗精部において、上記案内除糠部を上記白米出口側から上記搗精ロールの軸線に沿って取出し可能に構成し、上記玄米ホッパの玄米口を開閉するシャッタと、このシャッタを開位置に付勢保持する付勢部材とを設け、この付勢部材の付勢力に抗して上記シャッタを閉位置に保持する対抗部を上記前扉に設けたことを特徴とする。
【０００８】
請求項３に係る発明は、受けた玄米を下端の玄米口から排出する玄米ホッパと、この玄米ホッパから受けた玄米を回転搗精する搗精ロールと、この搗精ロールの作用を受ける搗精穀粒を案内しつつ除糠する案内除糠部とを備える精米機の搗精部において、上記案内除糠部を取出し可能に構成し、上記玄米ホッパの玄米口を開閉操作可能なシャッタと、上記案内除糠部の取外しを規制するロック部材とを設け、このロック部材は、閉位置に操作されたシャッタと連動して上記ロック部材による規制を解除可能に可動支持したことを特徴とする。
【発明の効果】
【０００９】
請求項１に係る発明により、玄米ホッパの玄米口はシャッタによって開閉され、このシャッタは付勢部材によって閉位置に付勢保持され、案内除糠部の対抗部は付勢部材の付勢力に抗してシャッタを開位置に保持するように作用することから、上記精米機の搗精部は、玄米ホッパに貯留された投入玄米が玄米口から搗精ロールに落下供給されて精米が可能となり、その一方で、案内除糠部をその前端の白米出口方向に取出すことによって案内除糠部の対抗部による対抗力が失われてシャッタが自動的に閉位置に付勢保持されることから、シャッタの操作ミスによって玄米ホッパから玄米が散逸する事態を回避することができ、煩わしい操作手順を気にすることなく案内除糠部を取出して確実にメンテナンス作業に移行することができる。
【００１０】
請求項２に係る発明により、玄米ホッパの玄米口はシャッタによって開閉され、このシャッタは付勢部材によって閉位置に付勢保持され、前扉に設けた対抗部は、案内除糠部の正面を前扉で閉じた時に、付勢部材の付勢力に抗してシャッタを開位置に保持するように作用することから、上記精米機の搗精部は、玄米ホッパに貯留された投入玄米が玄米口から搗精ロールに落下供給されて精米が可能となり、その一方で、前扉を開いた時に対抗部による対抗力が失われてシャッタが自動的に閉位置に付勢保持されることから、シャッタの操作ミスによって玄米ホッパから玄米が散逸する事態を回避することができ、煩わしい操作手順を気にすることなく、前扉を開いた正面開口から案内除糠部を取出して確実にメンテナンス作業に移行することができる。
【００１１】
請求項３に係る発明により、玄米ホッパの玄米口はシャッタの操作に応じて開閉され、このシャッタと連動してロック部材が切替えられることにより、シャッタが閉位置の場合に限りロック部材が解除されて案内除糠部の取外しが可能となることから、シャッタ連動による簡易なロック部材により、シャッタが開いたまま案内除糠部を取外して玄米ホッパからの玄米の散逸に至る事態を防止することができ、案内除糠部を取出して確実にメンテナンス作業に移行することができる
【図面の簡単な説明】
【００１２】
【図１】第１例の精米機のメンテナンス時の要部縦断側面図
【図２】図１の精米機の内部透視平面図
【図３】第２例の精米機の作動時の要部縦断側面図
【図４】図３の精米機のメンテナンス時の内部透視平面図
【図５】第３例の精米機の精米時の要部横断正面図
【図６】図５の精米機のメンテナンス時の同様の図
【発明を実施するための形態】
【００１３】
上記技術思想に基づいて具体的に構成された実施の形態について以下に図面を参照しつつ説明する。
（構成例１）
まず、第１の構成例について説明する。
本発明の第１の構成例に係る精米機１ａは、メンテナンス時の要部縦断側面図および内部透視平面図を図１、図２に示すように、上端開口から受けた玄米を下端の玄米口２ａから排出する玄米ホッパ２と、この玄米ホッパ２から受けた玄米を回転搗精する搗精ロール３と、この搗精ロール３の作用を受ける搗精穀粒を玄米口２ａ側から前端の白米出口４ａ側に案内しつつ除糠する筒状の案内除糠部４と、この案内除糠部４から受けた糠を下方にガイドする糠ガイド５とを備え、これらを箱状の外装フレームＦ内に収容し、前扉Ｄからメンテナンス可能に構成される。
【００１４】
玄米ホッパ２には、玄米口２ａを開閉するシャッタ６を設ける。シャッタ６には、玄米口２ａと対応する形状Ｗの透孔６ａを形成し、この透孔６ａが玄米口２ａを外れる閉位置まで前後方向のスライド動作Ｓを可能にブラケット２ｂに支持し、このシャッタ６を閉位置に付勢保持する付勢部材であるコイルスプリング７を設ける。
【００１５】
案内除糠部４は、白米出口４ａに設けた搗精調節部４ｂと一体に搗精ロール３の軸線に沿って取出し可能に構成し、さらに、案内除糠部４にはシャッタ６に干渉する範囲に対抗部４ｃを突設し、この対抗部４ｃは、案内除糠部４が装着状態でシャッタ６に直接的にまたは間接的に干渉することにより、シャッタ６の付勢部材７の付勢力に抗してシャッタ６を開位置に保持する関係位置に配置する。
【００１６】
上記構成の精米機１ａは、玄米ホッパ２の下端の玄米口２ａをシャッタ６により開閉することができ、このシャッタ６は付勢部材７によって閉位置に付勢保持され、その一方で、装着状態の案内除糠部４の対抗部４ｃが付勢部材７の付勢力に抗してシャッタ６を開位置に保持するように作用する。
【００１７】
したがって、精米機１ａの作動時は、シャッタ６が開位置に保持されることにより、玄米ホッパ２に貯留された投入玄米が玄米口２ａから搗精ロール３に落下供給されて精米が可能となる。その一方で、案内除糠部４の取出し操作Ａによってその前端の白米出口４ａの方向に取出した場合は、案内除糠部４の対抗部４ｃによる対抗力が失われてシャッタ６が自動的に閉位置に付勢保持されて玄米口２ａが閉鎖される。
【００１８】
このように、精米機１ａのメンテナンスに際して、事前のシャッタ操作を要することなく、案内除糠部４を取外すことによって自動的にシャッタ６が閉じらることから、玄米ホッパ２に玄米が残留している場合について、事前のシャッタ操作の失念や煩わしい操作手順のミス等に伴って引き起されることとなる玄米ホッパからの玄米散逸の事態を招くことなく、案内除糠部を取出して、随時、メンテナンス作業を実施することができる。
なお、案内除糠部４の取出しにより、搗精部の残留米は糠受箱等に収容される。
【００１９】
（構成例２）
次に、第２の構成例について説明する。なお、以下において、前記同様の部材は、その符号を付して説明を省略する。
本発明の第２の構成例に係る精米機１ｂは、精米時の要部縦断側面図およびメンテナンス時の内部透視平面図を図３、図４に示すように、ブラケット２ｂにスライド支持したシャッタ６の前端から受部６ｂを延長し、この受部６ｂに干渉する範囲に対抗部１４ｃを前扉Ｄから内方に向けて突設し、この対抗部１４ｃは、前扉Ｄを閉じた状態でシャッタ６に直接的にまたは間接的に干渉することにより、シャッタ６の付勢部材７の付勢力に抗してシャッタ６を開位置に保持する関係位置に配置する。
【００２０】
上記構成の精米機１ｂは、玄米ホッパ２の下端の玄米口２ａをシャッタ６により開閉することができ、このシャッタ６は付勢部材７によって閉位置に付勢保持され、その一方で、閉鎖状態の前扉Ｄの対抗部１４ｃが付勢部材７の付勢力に抗してシャッタ６を開位置に保持するように作用する。
【００２１】
したがって、前扉Ｄを閉じた時は、その対抗部１４ｃが受部６ｂに作用してシャッタ６が開位置に保持されることにより、玄米ホッパ２に貯留された投入玄米が玄米口２ａから搗精ロール３に落下供給されて精米が可能となる。その一方で、前扉Ｄの開放操作Ｂによってその対抗部１４ｃが受部６ｂから離脱した場合は、対抗部１４ｃによる対抗力が失われ、シャッタ６が自動的に閉位置に付勢保持されて玄米口２ａが閉鎖されることから、前扉Ｄの開口から案内除糠部４の取出しが可能となる。
【００２２】
このように、精米機１ｂのメンテナンスに際して、事前のシャッタ操作を要することなく、前扉Ｄを開くことによって自動的にシャッタ６が閉じらることから、玄米ホッパ２に玄米が残留している場合について、事前のシャッタ操作の失念や煩わしい操作手順のミス等に伴って引き起されることとなる玄米ホッパからの玄米散逸の事態を招くことなく、案内除糠部４を取出して、随時、メンテナンス作業を実施することができる。
【００２３】
（構成例３）
次に、第３の構成例について説明する。
本発明の第３の構成例に係る精米機１ｃは、精米時の要部横断正面図およびメンテナンス時の同様の図を図５、図６に示すように、玄米口２ａを開閉可能にシャッタ２６を設け、このシャッタ２６を開閉操作するための操作部材２７を設ける。また、シャッタ２６が開位置にある時に案内除糠部２４に係合してその取出しを規制するロック部材Ｌをシャッタ２６と一体に、または、シャッタ２６と連動可能に構成する。
【００２４】
図例においては、シャッタ２６をロック部材Ｌとして案内除糠部２４の取出しを規制可能に構成する。すなわち、玄米ホッパ２の玄米口２ａにシャッタ２６を軸支して開閉動作θが可能に構成し、このシャッタ２６が下方に開いた位置で、少なくともシャッタ２６の一部がその下方の案内除糠部２４に開口する玄米受口２４ａに係合する範囲にシャッタ２６を配置する。また、操作部材２７の一端にノブ２７ａを設け、このノブ２７ａの進退操作Ｃによるスライド動作Ｓによってシャッタ２６を開位置から閉位置に切替えが可能に操作部材２７をブラケット２ｃにスライド支持する。
【００２５】
上記構成の精米機１ｃは、ブラケット２ｃにスライド支持した操作部材２７を介して玄米ホッパ２の下端の玄米口２ａをシャッタ２６により開閉することができ、このシャッタ２６と一体または連動のロック部材Ｌの系脱が切替えられ、シャッタ２６が閉位置の場合に限りロック部材Ｌが解除されて案内除糠部２４の取外しが可能となることから、玄米ホッパ２に玄米が残留している場合について、事前のシャッタ操作の失念や煩わしい操作手順のミス等に伴って引き起されることとなる玄米ホッパからの玄米散逸の事態を招くことなく、案内除糠部４を取出して、随時、メンテナンス作業を実施することができる。
【符号の説明】
【００２６】
１ａ    精米機（第１構成例）
１ｂ    精米機（第２構成例）
１ｃ    精米機（第３構成例）
２      玄米ホッパ
２ａ    玄米口
３      搗精ロール
４      案内除糠部
４ａ    白米出口
４ｃ    対抗部
６      シャッタ
６ａ    透孔
６ｂ    受部
７      コイルスプリング（付勢部材）
１４ｃ  対抗部
２４    案内除糠部
２４ａ  玄米受口
２６    シャッタ
２７    操作部材
Ａ      取出し操作
Ｂ      開放操作
Ｃ      進退操作
Ｄ      前扉
Ｌ      ロック部材
Ｓ      スライド動作
Ｗ      透孔
θ      開閉動作
【図１】
2014113523.tif 000003
【図２】
2014113523.tif 000004
【図３】
2014113523.tif 000005
【図４】
2014113523.tif 000006
【図５】
2014113523.tif 000007
【図６】
2014113523.tif 000008